(57)【要約】      （修正有）【課題】強度を増すことによって安定性を確保しつつ、高さ位置を調整可能な複数のハンガーポールを備えるハンガーラックを提供する。【解決手段】ハンガーラック１００は、高さ位置を調整可能であって、左右一対の前側支柱１１０Ａ、１１０Ｂと、左右一対の後側支柱１２０Ａ、１２０Ｂと、左右一対の前側支柱および左右一対の後側支柱の上端部に配置されるハンガー部１３０とを備え、左右一対の前側支柱および左右一対の後側支柱の少なくとも一方は、伸縮可能な構成であり、ハンガー部は、少なくとも２本のハンガーポール１３１、１３２と、少なくとも２本のハンガーポールの左右それぞれにおいて、当該ハンガーポールを連結するとともに、左右一対の前側支柱および左右一対の後側支柱の上端部に固定される左右一対の連結部１３３Ａ、１３３Ｂとを含む。【選択図】図１
0003219291.tif 000002
【実用新案登録請求の範囲】
【請求項１】
高さ位置を調整可能なハンガーラックであって、
左右一対の前側支柱と、
左右一対の後側支柱と、
前記左右一対の前側支柱および前記左右一対の後側支柱の上端部に配置されるハンガー部とを備え、
前記左右一対の前側支柱および前記左右一対の後側支柱の少なくとも一方は、伸縮可能な構成であり、
前記ハンガー部は、
少なくとも２本のハンガーポールと、
前記少なくとも２本のハンガーポールの左右それぞれにおいて、当該ハンガーポールを連結するとともに、前記左右一対の前側支柱および前記左右一対の後側支柱の上端部に固定される左右一対の連結部とを含むことを特徴とする、ハンガーラック。
【請求項２】
前記左右一対の前側支柱および前記左右一対の後側支柱は、伸縮可能な構成であることを特徴とする、請求項１に記載のハンガーラック。
【請求項３】
前記ハンガー部は、矩形であることを特徴とする、請求項１または請求項２に記載のハンガーラック。
【請求項４】
前記左右一対の連結部は、当該左右一対の連結部のうちの異なる位置で、前記左右一対の前側支柱および前記左右一対の後側支柱の上端部と固定可能であることを特徴とする、請求項１乃至請求項３のいずれかに記載のハンガーラック。
【請求項５】
前記左右一対の連結部のうち、前記左右一対の前側支柱と固定される位置と、前記左右一対の後側支柱と固定される位置との距離は、前記左右一対の前側支柱および／または前記左右一対の後側支柱の伸縮に応じて変化することを特徴とする、請求項１乃至請求項４のいずれかに記載のハンガーラック。
【請求項６】
前記左右一対の前側支柱および前記左右一対の後側支柱の上端部には、それぞれ穴が設けられており、前記左右一対の連結部には、それぞれ長穴が設けられており、
前記穴と前記長穴とを挿通させて、前記左右一対の前側支柱および前記左右一対の後側支柱と前記左右一対の連結部とを固定するハンガー締結部を、さらに備える、請求項１乃至請求項５のいずれかに記載のハンガーラック。
【請求項７】
前記ハンガー締結部は、前記左右一対の前側支柱および前記左右一対の後側支柱における左右外側に突出する上方フック部を含むことを特徴とする、請求項６に記載のハンガーラック。
【請求項８】
前記上方フック部は、溝形状を有することを特徴とする、請求項７に記載のハンガーラック。
【請求項９】
前記伸縮可能な左右一対の前側支柱および／または左右一対の後側支柱は、それぞれ左右一対の上部支柱と下部支柱とを締結させて構成されていることを特徴とする、請求項１乃至請求項８のいずれかに記載のハンガーラック。
【請求項１０】
前記左右一対の上部支柱および下部支柱には、それぞれ複数の穴が設けられており、当該複数の穴のいずれかを挿通させて、前記左右一対の上部支柱と下部支柱とを固定する支柱締結部を、さらに備える、請求項９に記載のハンガーラック。
【請求項１１】
前記支柱締結部は、一組の上部支柱と下部支柱とを固定するに際し、少なくとも２つ備えられることを特徴とする、請求項１０に記載のハンガーラック。
【請求項１２】
前記支柱締結部のうちの１つは、前記左右一対の前側支柱および／または前記左右一対の後側支柱における左右外側に突出する下方フック部を含むことを特徴とする、請求項１１に記載のハンガーラック。
【請求項１３】
前記下方フック部は、溝形状を有することを特徴とする、請求項１２に記載のハンガーラック。
【請求項１４】
前記伸縮可能な左右一対の前側支柱の下部支柱と左右一対の後側支柱の下部支柱とを連結する連結部材を、さらに備える、請求項９乃至請求項１３のいずれかに記載のハンガーラック。
【考案の詳細な説明】
【技術分野】
【０００１】
本考案は、ハンガーラックに関し、より特定的には、ハンガーポールの高さ位置を調整可能なハンガーラックに関する。
【背景技術】
【０００２】
一般的に、ハンガーラックは、左右一対の支柱の上端部にハンガーポールを配置し、複数のハンガーを掛けられるように構成されている。また、従来のハンガーラックにおいては、左右一対の支柱を伸縮可能な構成にすることによって、ハンガーポールの高さ位置を調整できるようにしている（例えば、特許文献１）。
【０００３】
さらに、近年では、複数のハンガーポールを備え、それぞれ高さ位置を調整可能なハンガーラックも考案され、製造・販売されている。
【０００４】
図６は、従来技術における２本のハンガーポールを備えるハンガーラック１０を示す概要図である。図６において、ハンガーラック１０は、基台１１と、前側ハンガーポール１２と、後側ハンガーポール１３とを備える。
【０００５】
前側ハンガーポール１２および後側ハンガーポール１３は、基台１１に収納されている支柱を延伸することにより、それぞれ好適な高さ位置で固定することが可能な構成となっている。
【先行技術文献】
【特許文献】
【０００６】
【特許文献１】実用新案登録第３２１５６４１号公報
【考案の概要】
【考案が解決しようとする課題】
【０００７】
しかしながら、従来技術における２本のハンガーポールを備えるハンガーラック１０では、前側ハンガーポール１２および後側ハンガーポール１３をそれぞれ好適な高さ位置に配置することはできるものの、例えば、それぞれ多くのハンガーを掛けて荷重が偏った場合、および過度な荷重を掛けた場合、強度に不安が残る。その結果、ハンガーラック１０が不安定となって倒れる可能性もあり、安全性についても心配される。
【０００８】
それ故に、本考案は、上記のような課題に鑑みてなされたものであって、本考案の目的の１つは、強度を増すことによって安定性を確保しつつ、高さ位置を調整可能な複数のハンガーポールを備えるハンガーラックを提供することである。
【課題を解決するための手段】
【０００９】
上記目的を達成するために、本考案は、少なくとも以下のような構成を備え、もしくは手順を実行する。なお、以下の説明において、本考案の理解を容易にするために図面に示されている符号等を付記する場合があるが、本考案の各構成要素は、図面に示されているものに限定されるものではなく、当業者が技術的に理解しうる範囲にまで広く解釈されるべきものである。
【００１０】
本考案の一局面に係るハンガーラックは、高さ位置を調整可能なハンガーラックであって、左右一対の前側支柱と、左右一対の後側支柱と、前記左右一対の前側支柱および前記左右一対の後側支柱の上端部に配置されるハンガー部とを備え、前記左右一対の前側支柱および前記左右一対の後側支柱の少なくとも一方は、伸縮可能な構成であり、前記ハンガー部は、少なくとも２本のハンガーポールと、前記少なくとも２本のハンガーポールの左右それぞれにおいて、当該ハンガーポールを連結するとともに、前記左右一対の前側支柱および前記左右一対の後側支柱の上端部に固定される左右一対の連結部とを含むことを特徴とする。
かかる構成により、本考案の一局面に係るハンガーラックは、前記少なくとも２本のハンガーポールの左右それぞれにおいて、当該ハンガーポールを連結する連結部を備えているため、強度を増すことによって安定性を確保できる。
また、前記左右一対の前側支柱および前記左右一対の後側支柱の少なくとも一方は伸縮可能な構成であるため、ハンガーポールの高さ位置を調整することができる。
【００１１】
また、好ましくは、前記左右一対の前側支柱および前記左右一対の後側支柱は、伸縮可能な構成であることを特徴とする。
かかる構成により、本考案の一局面に係るハンガーラックは、少なくとも２本のハンガーポールの高さ位置をそれぞれ調整することができる。
【００１２】
また、好ましくは、前記ハンガー部は、矩形であることを特徴とする。
かかる構成により、本考案の一局面に係るハンガーラックは、シンプルな形状で強度を増すことができる。
【００１３】
また、好ましくは、前記左右一対の連結部は、当該左右一対の連結部のうちの異なる位置で、前記左右一対の前側支柱および前記左右一対の後側支柱の上端部と固定可能であることを特徴とする。
かかる構成により、本考案の一局面に係るハンガーラックは、ハンガーポールの高さ位置を容易に調整することができる。
【００１４】
また、好ましくは、前記左右一対の連結部のうち、前記左右一対の前側支柱と固定される位置と、前記左右一対の後側支柱と固定される位置との距離は、前記左右一対の前側支柱および／または前記左右一対の後側支柱の伸縮に応じて変化することを特徴とする。
かかる構成により、本考案の一局面に係るハンガーラックは、少なくとも２本のハンガーポールの高さ位置がそれぞれ異なるとしても、容易に設定することができる。
【００１５】
また、好ましくは、前記左右一対の前側支柱および前記左右一対の後側支柱の上端部には、それぞれ穴が設けられており、前記左右一対の連結部には、それぞれ長穴が設けられており、前記穴と前記長穴とを挿通させて、前記左右一対の前側支柱および前記左右一対の後側支柱と前記左右一対の連結部とを固定するハンガー締結部を、さらに備える。
かかる構成により、本考案の一局面に係るハンガーラックは、少なくとも２本のハンガーポールの高さ位置がそれぞれ異なるとしても、シンプルな構成で容易に設定することができる。
【００１６】
また、好ましくは、前記ハンガー締結部は、前記左右一対の前側支柱および前記左右一対の後側支柱における左右外側に突出する上方フック部を含むことを特徴とする。
かかる構成により、本考案の一局面に係るハンガーラックは、当該上方フック部にカバンや帽子を掛けることができるようになるため、利便性が向上する。
【００１７】
また、好ましくは、前記上方フック部は、溝形状を有することを特徴とする。
かかる構成により、本考案の一局面に係るハンガーラックは、前記上方フック部にカバンや帽子を掛け易くなるため、利便性がさらに向上する。
【００１８】
また、好ましくは、前記伸縮可能な左右一対の前側支柱および／または左右一対の後側支柱は、それぞれ左右一対の上部支柱と下部支柱とを締結させて構成されていることを特徴とする。
かかる構成により、本考案の一局面に係るハンガーラックは、前記左右一対の前側支柱および／または左右一対の後側支柱を安全に固定することができる。
【００１９】
また、好ましくは、前記左右一対の上部支柱および下部支柱には、それぞれ複数の穴が設けられており、当該複数の穴のいずれかを挿通させて、前記左右一対の上部支柱と下部支柱とを固定する支柱締結部を、さらに備える。
かかる構成により、本考案の一局面に係るハンガーラックは、前記左右一対の前側支柱および／または左右一対の後側支柱を伸縮可能とし、安全に固定することができる。
【００２０】
また、好ましくは、前記支柱締結部は、一組の上部支柱と下部支柱とを固定するに際し、少なくとも２つ備えられることを特徴とする。
かかる構成により、本考案の一局面に係るハンガーラックは、前記左右一対の前側支柱および／または左右一対の後側支柱を伸縮可能とし、より安全に固定することができる。
【００２１】
また、好ましくは、前記支柱締結部のうちの１つは、前記左右一対の前側支柱および／または前記左右一対の後側支柱における左右外側に突出する下方フック部を含むことを特徴とする。
かかる構成により、本考案の一局面に係るハンガーラックは、当該下方フック部にカバンや帽子を掛けることができるようになるため、利便性が向上する。
【００２２】
また、好ましくは、前記下方フック部は、溝形状を有することを特徴とする。
かかる構成により、本考案の一局面に係るハンガーラックは、前記下方フック部にカバンや帽子を掛け易くなるため、利便性がさらに向上する。
【００２３】
また、好ましくは、前記伸縮可能な左右一対の前側支柱の下部支柱と左右一対の後側支柱の下部支柱とを連結する連結部材を、さらに備える。
かかる構成により、本考案の一局面に係るハンガーラックは、さらに強度が増し、安定性を確保することができる。
【考案の効果】
【００２４】
以上のように、本考案によれば、強度を増すことによって安定性を確保しつつ、高さ位置を調整可能な複数のハンガーポールを備えるハンガーラックを実現することができる。
【図面の簡単な説明】
【００２５】
【図１】本考案の一実施形態に係るハンガーラック１００において、前側支柱と後側支柱とが同じ高さの状態を示す斜視図である。
【図２】本考案の一実施形態に係るハンガーラック１００において、前側支柱と後側支柱とが異なる高さの状態を示す斜視図である。
【図３】本考案の一実施形態に係るハンガーラック１００において、（Ａ）水平状態と（Ｂ）傾斜状態のハンガー部１３０の様子を示す部分側面拡大図である。
【図４】前側支柱および後側支柱の上端部とハンガー部とが固定される様子を示す部分拡大図である。
【図５】本考案の一実施形態に係るハンガーラック１００において、前側支柱および後側支柱を構成する上部支柱と下部支柱とを詳細に示す図である。
【図６】従来技術における２本のハンガーポールを備えるハンガーラック１０を示す概要図である。
【考案を実施するための形態】
【００２６】
以下、本考案の一実施形態について、図面を参照しながら具体的に説明する。なお、以下で説明する実施形態は、あくまで、本考案を実施するための具体的な一例を挙げるものであって、本考案を限定的に解釈させるものではない。
【００２７】
図１は、本考案の一実施形態に係るハンガーラック１００において、前側支柱と後側支柱とが同じ高さの状態を示す斜視図である。図１において、ハンガーラック１００は、左右一対の前側支柱１１０Ａ，１１０Ｂと、左右一対の後側支柱１２０Ａ，１２０Ｂと、ハンガー部１３０と、基台１４０とを備える。
【００２８】
なお、本実施形態において、ハンガーラック１００は、左右対称の構成であって、左右において同様の構成および機能であることから、それぞれの構成について、左右いずれか一方を詳細に説明し、他方の説明を省略する場合がある。
【００２９】
左右一対の前側支柱１１０Ａ，１１０Ｂは、それぞれ一組の上部支柱と下部支柱とを連結することによって構成されており、上部支柱と下部支柱との固定位置によって高さ位置を調整できるようになっている。
【００３０】
左右一対の後側支柱１２０Ａ，１２０Ｂは、それぞれ一組の上部支柱と下部支柱とを連結することによって構成されており、上部支柱と下部支柱との連結位置によって高さ位置を調整できるようになっている。
【００３１】
ハンガー部１３０は、左右一対の前側支柱１１０Ａ，１１０Ｂおよび左右一対の後側支柱１２０Ａ，１２０Ｂの上端部に配置されている。より具体的には、ハンガー部１３０は、２本のハンガーポール１３１，１３２と、当該２本のハンガーポール１３１，１３２の左右両端を連結する左右一対の連結部１３３Ａ，１３３Ｂとで矩形に構成されている。
【００３２】
２本のハンガーポール１３１，１３２は、ハンガーを掛けるためのものであって、左右一対の連結部１３３Ａ，１３３Ｂは、それらを補強する役目を果たしている。
【００３３】
より具体的には、左右一対の前側支柱１１０Ａ，１１０Ｂおよび左右一対の後側支柱１２０Ａ，１２０Ｂの上端部において、左右一対の連結部１３３Ａ，１３３Ｂを介して、２本のハンガーポール１３１，１３２が配置される構成である。
【００３４】
２本のハンガーポール１３１，１３２に、多くのハンガーが掛けられたり、または偏った位置に掛けられたりした場合であっても、ハンガー部１３０は矩形であるため、特に、捻れに対する強度がある。さらに、ハンガー部１３０は、左右一対の前側支柱１１０Ａ，１１０Ｂおよび左右一対の後側支柱１２０Ａ，１２０Ｂの上端部において複数個所で連結されているため、荷重をバランス良く吸収・分散することができる。
【００３５】
つまり、２本のハンガーポール１３１，１３２を含むハンガー部１３０は、シンプルな形状で強度を増し、安定性を確保することができている。
【００３６】
基台１４０は、ハンガーラック１００の基礎となる部分であり、左右一対の前側支柱１１０Ａ，１１０Ｂ、および左右一対の後側支柱１２０Ａ，１２０Ｂそれぞれの下部支柱が連結されており、各支柱を支えている。
【００３７】
また、基台１４０には、ハンガーラック１００を移動可能なようにキャスターが取り付けられており、さらには、カバンやその他の物を収納可能なようにスノコ形状の収納部が設けられている。
【００３８】
図２は、本考案の一実施形態に係るハンガーラック１００において、前側支柱と後側支柱とが異なる高さの状態を示す斜視図である。図２において、左右一対の前側支柱１１０Ａ，１１０Ｂを収縮させて、ハンガーポール１３１がハンガーポール１３２より低い位置に配置されている。
【００３９】
より具体的には、左右一対の前側支柱１１０Ａ，１１０Ｂについて、上部支柱と下部支柱との連結位置を変更することによって収縮させて、ハンガーポール１３１をハンガーポール１３２より低い位置に配置させている。
【００４０】
このように、ハンガーポール１３１をハンガーポール１３２より低い位置に配置させることによって、ハンガー部１３０は、傾斜するように配置されるが、当該傾斜に応じて、左右一対の連結部１３３Ａ，１３３Ｂと左右一対の前側支柱１１０Ａ，１１０Ｂおよび左右一対の後側支柱１２０Ａ，１２０Ｂの上端部との連結位置も変化するように構成されている。
【００４１】
図３は、本考案の一実施形態に係るハンガーラック１００において、（Ａ）水平状態と（Ｂ）傾斜状態のハンガー部１３０の様子を示す部分側面拡大図である。連結部１３３Ｂには、前側支柱１１０Ｂとの連結部分に長穴１３４Ｂと、後側支柱１２０Ｂとの連結部分に長穴１３５Ｂとが設けられている。
【００４２】
図３（Ａ）において、連結部１３３Ｂは水平であるため、連結部１３３Ｂと前側支柱１１０Ｂとの連結位置Ｐ１は、長穴１３４Ｂのうちの最も後側となり、連結部１３３Ｂと後側支柱１２０Ｂとの連結位置Ｑ１は、長穴１３５Ｂのうちの最も前側となる。換言すれば、連結位置Ｐ１と連結位置Ｑ１との距離Ｄ１は、最も近い距離になっている。
【００４３】
図３（Ｂ）において、連結部１３３Ｂは傾斜しているため、連結部１３３Ｂと前側支柱１１０Ｂとの連結位置Ｐ２は、長穴１３４Ｂのうちの最も前側となり、連結部１３３Ｂと後側支柱１２０Ｂとの連結位置Ｑ２は、長穴１３５Ｂのうちの最も後側となる。換言すれば、連結位置Ｐ２と連結位置Ｑ２との距離Ｄ２は、最も遠い距離になっている。
【００４４】
ここでは、前側支柱１１０Ｂを最も短く（最も低い高さに位置に）収縮させ、後側支柱１２０Ｂを最も長く（最も高い高さ位置に）伸張させた場合についての一例を示したが、これに限定されるものではない。
【００４５】
前側支柱１１０Ｂと後側支柱１２０Ｂとの高さの差に応じて連結部１３３Ｂの傾斜角が変化するため、連結位置Ｐ２と連結位置Ｑ２との距離Ｄ２も変化する。連結部１３３Ｂと前側支柱１１０Ｂとの連結位置Ｐ２、および連結部１３３Ｂと後側支柱１２０Ｂとの連結位置Ｑ２は、長穴１３４Ｂおよび長穴１３５Ｂのうち適切な位置に定まることになる。
【００４６】
つまり、連結部１３３Ｂと前側支柱１１０Ｂとの連結位置、および連結部１３３Ｂと後側支柱１２０Ｂとの連結位置は、当該連結部１３３Ｂの傾斜角に応じて長穴１３４Ｂおよび長穴１３５Ｂの範囲で設定することが可能となっている。
【００４７】
図４は、前側支柱および後側支柱の上端部とハンガー部とが固定される様子を示す部分拡大図である。図４において、長穴１３４Ｂと前側支柱１１０Ｂの上端部に設けられた穴とを上方フック部１３６Ｂの一部を挿通させて、受け部１３８Ｂで固定することによって、連結部１３３Ｂと前側支柱１１０Ｂとを締結させている。同様に、長穴１３５Ｂと後側支柱１２０Ｂの上端部に設けられた穴とを上方フック部１３７Ｂの一部を挿通させて、受け部１３９Ｂで固定することによって、連結部１３３Ｂと後側支柱１２０Ｂとを締結させている。
【００４８】
なお、上方フック部１３６Ｂ，１３７Ｂは、溝形状を有することによって、カバンや帽子を掛け易い構成にして、ハンガーラック１００の利便性を向上させている。
【００４９】
図５は、本考案の一実施形態に係るハンガーラック１００において、前側支柱および後側支柱を構成する上部支柱と下部支柱とを詳細に示す図である。
【００５０】
前側支柱１１０Ｂ（図１等に示す）は、支柱締結部１１３Ｂを用いて、一組の上部支柱１１１Ｂと下部支柱１１２Ｂとを連結することによって構成されている。より具体的には、一組の上部支柱１１１Ｂおよび下部支柱１１２Ｂには、それぞれ複数の穴が設けられており、支柱締結部１１３Ｂを当該複数の穴のいずれかに挿通させて、当該上部支柱１１１Ｂと下部支柱１１２Ｂとを固定している。
【００５１】
後側支柱１２０Ｂ（図１等に示す）は、支柱締結部１２３Ｂを用いて、一組の上部支柱１２１Ｂと下部支柱１２２Ｂとを連結することによって構成されている。より具体的には、一組の上部支柱１２１Ｂおよび下部支柱１２２Ｂには、それぞれ複数の穴が設けられており、支柱締結部１２３Ｂを当該複数の穴のいずれかに挿通させて、当該上部支柱１２１Ｂと下部支柱１２２Ｂとを固定している。
【００５２】
このように、前側支柱１１０Ｂおよび後側支柱１２０Ｂは、それぞれが伸縮可能な構成となっており、支柱締結部１１３Ｂおよび支柱締結部１２３Ｂを用いることにより、安全に固定されている。
【００５３】
支柱締結部１１３Ｂに加えて、さらに支柱締結部１１４Ｂを用いて、一組の上部支柱１１１Ｂと下部支柱１１２Ｂとを２箇所で固定すれば、より安定して一組の上部支柱１１１Ｂと下部支柱１１２Ｂとを固定することができる。
【００５４】
同様に、支柱締結部１２３Ｂに加えて、さらに支柱締結部１２４Ｂを用いて、一組の上部支柱１２１Ｂと下部支柱１２２Ｂとを２箇所で固定すれば、より安定して一組の上部支柱１２１Ｂと下部支柱１２２Ｂとを固定することができる。
【００５５】
また、支柱締結部１１３Ｂ，１２３Ｂを上述した上方フック部１３６Ｂ，１３７Ｂのようにフック形状にし、溝形状を有するようにすれば、カバンや帽子を掛け易い構成となり、ハンガーラック１００の利便性をさらに向上させることができる。
【００５６】
連結部材１５０Ｂは、前側支柱の下部支柱１１２Ｂと後側支柱の下部支柱１２２Ｂとを連結している。これにより、ハンガーラック１００は、さらに強度が増し、安定性を確保することができる。
【００５７】
以上のように、本考案の一実施形態に係るハンガーラック１００によれば、２本のハンガーポール１３１，１３２の左右それぞれにおいて、当該ハンガーポール１３１，１３２を連結する左右一対の連結部１３３Ａ，１３３Ｂを備えているため、強度を増すことによって安定性を確保することができる。また、左右一対の前側支柱１１０Ａ，１１０Ｂおよび左右一対の後側支柱１２０Ａ，１２０Ｂが伸縮可能な構成であるため、ハンガーポール１３１，１３２の高さ位置を調整することができる。
【００５８】
なお、本実施形態では、２本のハンガーポール１３１，１３２を例に挙げて説明したが、ハンガーポールは２本に限定されるものではなく、３本以上であっても構わない。
【００５９】
また、本実施形態では、左右一対の前側支柱１１０Ａ、１１０Ｂおよび左右一対の後側支柱１２０Ａ、１２０Ｂともに伸縮可能な構成であったが、いずれか一方のみが伸縮可能な構成であっても構わない。少なくとも一方が伸縮可能であれば、主に図３で説明したように、ハンガー部１３０は水平状態および傾斜状態を形成することになり、よりシンプルで強度な構成で複数のハンガーポールのうちいずれかの高さ位置を変更することができる。
【００６０】
また、本実施形態では、連結部１３３Ｂに長穴１３４Ｂ，１３５Ｂを設ける構成としたが、これに限定されるものでなく、例えば、連結位置Ｐ２および連結位置Ｑ２を変化させることができる構成であれば、１つの長穴であっても構わないし、長穴でない穴を複数個設けても構わない。複数個の穴を設けた場合、連結部１３３Ｂの傾斜に応じて連結位置Ｐ２と連結位置Ｑ２との距離Ｄ２が適切になるようにいずれかの穴で固定するようにすればよい。
【００６１】
さらに、ハンガー部１３０と左右一対の前側支柱１１０Ａ，１１０Ｂおよび左右一対の後側支柱１２０Ａ，１２０Ｂとを連結する際、上部支柱１１１Ｂと下部支柱１１２Ｂとを連結する際、および上部支柱１２１Ｂと下部支柱１２２Ｂとを連結する際、穴を挿通させて所謂共締めのような構成としたが、これに限定されるものではなく、例えば、凹凸形状を嵌合または係合させるようにしても構わないし、両側から挟み込むようにしても構わない。
【００６２】
以上、本考案の一実施形態についての具体的な説明を行った。上記説明は、あくまで一実施形態としての説明であって、本考案の範囲はこの一実施形態に留まらず、当業者が把握可能な範囲にまで広く解釈されるものである。
【産業上の利用可能性】
【００６３】
本考案は、高さ位置を調整可能なハンガーラック等に利用可能であって、特に、複数のハンガーポールを備える木製のハンガーラックに有用である。
【符号の説明】
【００６４】
１０，１００  ハンガーラック
１１０Ａ，１１０Ｂ  前側支柱
１１１Ｂ，１２１Ｂ  上部支柱
１１２Ｂ，１２２Ｂ  下部支柱
１１３Ｂ，１１４Ｂ，１２３Ｂ，１２４Ｂ  支柱締結部
１２０Ａ，１２０Ｂ  後側支柱
１３０  ハンガー部
１２，１３，１３１，１３２  ハンガーポール
１３３Ａ，１３３Ｂ  連結部
１３４Ｂ，１３５Ｂ  長穴
１３６Ｂ，１３７Ｂ  上方フック部
１３８Ｂ，１３９Ｂ  受け部
１１，１４０  基台
１５０Ｂ  連結部材
Ｐ１，Ｐ２，Ｑ１，Ｑ２  連結位置
Ｄ１，Ｄ２  距離
【図１】
0003219291.tif 000003
【図２】
0003219291.tif 000004
【図３】
0003219291.tif 000005
【図４】
0003219291.tif 000006
【図５】
0003219291.tif 000007
【図６】
0003219291.tif 000008